(57)【特許請求の範囲】
【請求項１】
複数個のＬＥＤが実装基板に実装されてなる光源部と当該光源部が搭載される搭載部とを有する装置本体と、前記光源部を覆う透光性カバーとを備える照明装置において、
前記透光性カバーは、第１光拡散領域を構成する第１カバー体と、前記第１光拡散領域よりも光拡散性が低い第２光拡散領域を構成する第２カバー体と、前記第１カバー体と前記第２カバー体とに接合して前記第１カバー体と前記第２カバー体との連結を補助する補助カバー体とを有し、
前記第２光拡散領域は、最も近いＬＥＤから出射される光の光度が最大光度の１／２以上となる範囲内に存在する
照明装置。
【請求項２】
前記第１カバー体は円形状であり、
前記第２カバー体及び前記補助カバー体は環状であり、
前記補助カバー体の周縁部は厚肉部となっている
請求項１に記載の照明装置。
【請求項３】
前記補助カバー体は前記第２カバー体の裏側に配置されている
請求項２に記載の照明装置。
【発明の詳細な説明】
【技術分野】
【０００１】
本発明は透光性カバーにより光源部が覆われてなる照明装置に関する。
【背景技術】
【０００２】
透光性カバーにより光源部が覆われてなる照明装置は天井や壁等の設置面に設置されて使用される。照明装置は設置面と反対側を照射し、近年光学的に付加価値を高めたものが提案されている（例えば、特許文献１）。
特許文献１では、基板に実装された複数の発光素子と、この発光素子から照射された光の透過率が相対的に小さい領域と光の透過率が相対的に大きい領域とが混在するように形成された光透過制御手段が設けられたセードと、前記発光素子と前記セードとの間に設けられた光学制御部材とを具備する照明装置が開示されている。
この構成により、グレアを制御して演出効果を高め、照明装置として付加価値を高めることが可能となる。
【先行技術文献】
【特許文献】
【０００３】
【特許文献１】特開２０１４−４９２７５号公報
【発明の概要】
【発明が解決しようとする課題】
【０００４】
上記構成のセードには光透過率の低い領域と光透過率の高い領域とが混在しているため、演出効果が少ないという課題がある。
本発明は、上記の課題に鑑み、光学的な付加価値をより一層高めることができる照明装置を提供することにある。
【課題を解決するための手段】
【０００５】
本発明に係る照明装置は、複数個のＬＥＤが実装基板に実装されてなる光源部と当該光源部が搭載される搭載部とを有する装置本体と、前記光源部を覆う透光性カバーとを備える照明装置において、前記透光性カバーは、第１光拡散領域と、前記第１光拡散領域よりも光拡散性が低い第２光拡散領域とを有し、前記第２光拡散領域は、最も近いＬＥＤから出射される光の光度が最大光度の１／２以上となる範囲内に存在する。
【発明の効果】
【０００６】
上記構成によれば、最も近いＬＥＤから出射される光の光度が最大光度の１／２以上となる範囲内に第２光拡散領域が存在するため、光学的に付加価値を高めることができる。
【図面の簡単な説明】
【０００７】
【図１】第１の実施形態のシーリングライトの前方から外観斜視図である。
【図２】第１の実施形態のシーリングライトの断面図である。
【図３】第１の実施形態のシーリングライトの分解斜視図である。
【図４】第１の実施形態の装置本体の保護カバーを一部外した状態を前方から見た図である。
【図５】第１の実施形態のアダプタを後方から見た斜視図である。
【図６】第１の実施形態の装置本体の中央部の断面拡大図である。
【図７】第１の実施形態の係止具の斜視図である。
【図８】第１の実施形態の取付カバーを後方から見た斜視図である。
【図９】第１の実施形態の取付カバー断面図である。
【図１０】第１の実施形態の取付カバーを後方から見た拡大図である。
【図１１】第１の実施形態の主カバーを前方から見た斜視図である。
【図１２】第１の実施形態の主カバーの分解斜視図である。
【図１３】第１の実施形態の主カバーの断面図である。
【図１４】第１の実施形態の中間主カバーを後方から見た拡大図である。
【図１５】第２の実施形態のシーリングライトを前方から見た外観斜視図である。
【図１６】第２の実施形態のシーリングライトの分解斜視図である。
【図１７】第２の実施形態の取付カバーを前方から見た斜視図である。
【図１８】第２の実施形態の取り付けカバーを後方から見た斜視図である。
【図１９】ＬＥＤと第２光拡散領域との位置関係を説明するためのシーリングライトの断面図である。
【発明を実施するための形態】
【０００８】
＜概要＞
本発明の一態様に係る照明装置は、複数個のＬＥＤが実装基板に実装されてなる光源部と当該光源部が搭載される搭載部とを有する装置本体と、前記光源部を覆う透光性カバーとを備える照明装置において、前記透光性カバーは、第１光拡散領域と、前記第１光拡散領域よりも光拡散性が低い第２光拡散領域とを有し、前記第２光拡散領域は、最も近いＬＥＤから出射される光の光度が最大光度の１／２以上となる範囲内に存在する。
別態様に係る照明装置において、前記複数のＬＥＤの光の出射方向から前記実装基板を平面視したときに前記第２光拡散領域は前記実装基板と重なる。これにより第２光拡散領域から出射される光の光度が第１光拡散領域から出射される光の光度より高くなり演出効果を向上させることができる。
別態様に係る照明装置において、前記複数個のＬＥＤと前記第２光拡散領域は、前記実装基板を平面視したときに環状をしている。これによりＬＥＤの光が第２光拡散領域に達し易くできる。
【０００９】
別態様に係る照明装置において、前記透光性カバーの外周形状は前記第２光拡散領域に対して同心状の環状をしている。これにより第２光拡散領域の意匠性を向上させることができる。
別態様に係る照明装置において、前記第２光拡散領域の主面はダイヤカット模様を有する。きらめき感を向上させることができる。
【００１０】
＜実施形態＞
以下に本発明の一態様である照明装置について図面を参照しながら詳細に説明する。ここでは照明装置の一例としてシーリングライトについて説明する。
【００１１】
１．シーリングライトの全体構成
図１及び図２を用いて説明する。
シーリングライト１は天井等の設置面２に設けられている被取付部材４にアダプタ６を介して付け外し可能に取り付けられて使用される。シーリングライト１は、装置本体３と、装置本体３に着脱自在に装着される透光性カバー５とで構成されている。透光性カバー５は装置本体３における設置面２と反対側を覆う。
なお、シーリングライト１から光が出射される側を表側や前側とする。また、被取付部材４として例えばロゼット、引掛けシーリング等がある。
シーリングライト１は、例えば、調光機能、調色機能及びタイマ機能等を有し、図外のリモコンからの信号により選択された光環境を提供する。
【００１２】
２．装置本体
装置本体３について図１〜図５、特に図３を用いて説明する。
装置本体３は、複数個のＬＥＤ２１から構成される光源部１１、光源部１１を点灯させるための回路部１２、光源部１１を搭載するための搭載部１３、アダプタ６に取り付けられる取付部１４、透光性カバー５を装着するためのカバー装着部１５を少なくとも有している。
装置本体３は、上記構成以外に、例えば、光源部１１を覆う光源カバー部１７、回路部１２を収容する回路収容部１８、図外のリモコンからの操作信号を受信する受信部１９等を有してもよい。
以下、各部について説明する。
【００１３】
（１）光源部
光源部１１について主に図３及び図４を用いて説明する。
光源部１１は、複数個（例えば９６個である。）のＬＥＤ２１と、複数個のＬＥＤ２１を実装するための１枚又は複数枚（例えば８枚である。）の実装基板２３とを有する。複数個のＬＥＤ２１は調色機能を有するため光色の異なる複数種類（例えば、光色が電球色と昼光色の２種類である。）ある。
【００１４】
ＬＥＤ２１の実装位置は、規則性があってもよいし、規則性がなくてもよい。規則性の形状には、直線状（１列、複数列を含む。）、千鳥状、円弧状（１列、複数列を含む。）等がある。
複数枚の実装基板２３は搭載部１３の中央の開口３７を囲繞する環状に配される。１枚の実装基板２３上の１２個のＬＥＤ２１が、複数枚で構成されて９６個のＬＥＤ２１が全体として３重環状を構成するように、実装されている。
【００１５】
（２）回路部
回路部１２について主に図２及び図３を用いて説明する。
回路部１２は、複数個の電子部品２５，２７，２９と、複数個の電子部品２５，２７，２９を実装するための１枚又は複数枚（例えば１枚である。）の回路基板３３とを有する。なお、複数個の電子部品のうち、３個の電子部品に符号を付している。
複数個の電子部品２５，２７，２９により、例えば、整流回路、平滑回路、電圧変換回路等が構成される。複数個の電子部品にはリモコンから受信した信号によりＬＥＤ２１の点灯を制御するＩＣ部品も含まれる。
回路収容部１８の中央部にはアダプタ６が配されるため、回路基板３３は例えば円弧状をしている。回路基板３３はアダプタ６の周りに配された状態で回路収容部１８に固定される。
【００１６】
（３）搭載部
搭載部１３について主に図２から図４を用いて説明する。
搭載部１３はベース部材３５により構成される。ベース部材３５は中央に開口３７を有する板状をしている。なお、開口３７にはアダプタ６が嵌合する。
ベース部材３５の概観形状は床側（表側）から見たときに円形状をしているが、例えば外観形状が正方形、長方形等の他の形状であってもよい。
【００１７】
搭載部１３は、光源部１１、カバー装着部１５、光源カバー部１７、回路収容部１８、受信部１９をベース部材３５に固定するためのねじ孔や貫通孔をベース部材３５に有している。
搭載部１３は、光源部１１を搭載するための光源部搭載領域４１をベース部材３５の表面であって開口３７の周囲に有している。この光源部搭載領域４１に複数枚の実装基板２３が開口３７を囲む円環状に配された状態でねじ体やピン体等により固定される。
搭載部１３はベース部材３５の表面であって光源部搭載領域４１の外側に光源カバー部１７を固定するためのねじ孔や貫通孔を有し、光源部搭載領域４１の外側にカバー装着部１５が設けられる。
【００１８】
搭載部１３は、回路部１２を設けるための回路部搭載領域をベース部材３５の裏面であって開口３７の周囲に有している。なお、回路基板３３の固定されている回路収容部１８がベース部材３５にねじ体８７により取り付けられることで、回路部１２が搭載部１３に搭載される。
【００１９】
（４）取付部
取付部１４について主に図３及び図６を用いて説明する。
取付部１４は、開口４３を中心に有する円板状部４５と、円板状部４５から前方へと開口４３から間隔をおいて２重の円筒状に突出する外筒部４７及び内筒部４９とを有している。
取付部１４のアダプタ６への取り付けはアダプタ６の係止爪５３（図５参照）が円板状部４５の表面であって開口４３の周辺部分４５ａに係合することで行われる。
取付部１４は、円板状部４５の後面が回路収容部１８と当接し且つ外筒部４７及び内筒部４９の前端がベース部材３５に当接する状態で、ねじ体８７により回路収容部１８に固定される。
【００２０】
（５）カバー取付部
カバー装着部１５について主に図４及び図７を用いて説明する。
カバー装着部１５はベース部材３５の表面であってベース部材３５の外周縁に沿って間隔を置いて取り付けられる複数個（例えば３個である）の係止具５５により構成される。
透光性カバー５の取り付けは、透光性カバー５をベース部材３５に対して位置せした状態で所定方向（例えば時計まわりである。）に回転させると透光性カバー５の凸部１４７（図８参照）が係止具５５に係合することで行われる。
係止具５５は、透光性カバー５の回転方向に対して直交する断面形状が「コ」字状であって回転方向に延伸するコ字状部５７と、コ字状部５７の長手方向（透光性カバー５の回転方向進行側である。）の端部を塞ぐ蓋部５９とを有する。係止具５５は、コ字状部５７の底壁５７ａを貫通するねじ体６３によりベース部材３５に固定される。
【００２１】
（６）光源カバー部
光源カバー部１７について主に図２〜図４及び図６を用いて説明する。
光源カバー部１７は透光性の樹脂材料からなる保護カバー６５により構成されている。保護カバー６５は、全体として円環状に配された複数個の実装基板２３を表側から覆う。ここでの保護カバー６５は複数個（例えば４個である。）のカバー部材６７から構成される。複数個（例えばｎ個（ｎは自然数）とする。）のカバー部材６７は、表側から見たときに円環を１／ｎにしたような形状をしている。
【００２２】
カバー部材６７は、横断面において、中央部が表側へとドーム状に張り出すドーム部６７ａと、ドーム部６７ａの内周縁からベース部材３５の開口３７側へと張り出す内鍔部６７ｂと、ドーム部６７ａの外周縁からベース部材３５の外周縁側へと張り出す外鍔部６７ｃとを有する。
内鍔部６７ｂは受信部１９によりベース部材３５に押圧される。外鍔部６７ｃはねじ体６９によりベース部材３５に固定される。
【００２３】
（７）回路収容部
回路収容部１８について主に図２、図３及び図６を用いて説明する。
回路収容部１８は底部７３に開口７５を有する有底筒部材７７により構成される。回路部１２は、電子部品２５，２７，２９がベース部材３５側に位置する状態で回路基板３３が底部７３にピン体７９により固定されることで、回路収容部１８に収容される。
有底筒部材７７は筒部８３の前端から外方へと張り出す外鍔部８５を有している。外鍔部８５はベース部材３５の裏面にねじ体８７により固定される。底部７３の開口７５の周辺部分７３ａはベース部材３５側に凹入している。周辺部分７３ａに取付部１４の円板状部４５がねじ体８７により固定される。
【００２４】
（８）受信部
受信部１９について主に図３、図４及び図６を用いて説明する。
受信部１９は、筐体９１と、筐体９１に設けられた受信センサ９３とを有している。ここでの筐体９１には受信センサ９３以外に常夜灯９４及びチャンネルスイッチ９６を有している。
筐体９１は、有底筒状をする本体部９５と、本体部９５の開口を開閉自在に塞ぐ蓋部９７とを有する。本体部９５は、アダプタ６用の開口（貫通孔）９９を有する底壁１０３と、底壁１０３の外周縁から前方に延出する筒壁１０５と、筒壁１０５の前端から本体部９５の中心軸と反対側に延出した後に後方へと曲げられた後に再度外方へと張り出す鍔部１０７とを有している。
【００２５】
蓋部９７は、表側に膨出する膨出部分１０９と、膨出部分１０９を裏側から被覆する被覆部分１１３とを有する。膨出部分１０９と被覆部分１１３との間の空間には受信センサ９３、常夜灯９４及びチャンネルスイッチ９６を実装する受信用基板１１５が収容される。
受信部１９は本体部９５の底壁１０３がねじ体によりベース部材３５の開口３７の周辺部に固定される。固定状態において、筐体９１の鍔部１０７の後端部分１０７ａはカバー部材６７の内鍔部６７ｂに前側から当接し、筐体９１の底壁１０３はベース部材３５の開口３７の周辺部に当接する。なお、受信部１９は装置本体３の中央の開口に配されるアダプタ６を覆う機能も有している。
【００２６】
３．透光性カバー
透光性カバー５について図１〜図３及び図８〜図１４を用いて説明する。
透光性カバー５は、装置本体３に取り付けられる取付カバー１２１と、取付カバー１２１に装着される主カバー１２３とを一体で有する。取付カバー１２１及び主カバー１２３は例えば透光性樹脂材料により構成されている。
【００２７】
（１）取付カバー
取付カバー１２１について主に図８〜図１０を用いて説明する。
取付カバー１２１は全体形状として環状をしている。取付カバー１２１は主カバー１２３を装置本体３に取り付けるための補助部１２７を有する。取付カバー１２１は補助部１２７以外に装飾部１２９を有している。
装飾部１２９は、設置面２と略平行に延伸する環状（例えば、円環状である。）の環状部１３１と、環状部１３１の外周縁から後拡がりの筒状に延伸する傾斜部１３３とを有している。
【００２８】
環状部１３１の裏面には所定模様が施されている。ここではダイヤカット模様１３４である。傾斜部１３３の裏面にも所定模様が施されている。ここでは径方向に延伸する縦縞模様１３５である。
ダイヤカット模様１３４は、環状部１３１の周方向に規則性をもった凹凸形状を含む。凹凸は、環状部１３１の周方向に並ぶ複数個の四角形１３４ａ（図１０において右上がりのハッチングを施している部分である。）において、一方の対角線１３４ｂにより２分される三角形１３４ｃ，１３４ｄを周方向に沿って上り勾配と下り勾配とを交互に繰り返すことで構成される。四角形１３４ａは径方向が長辺となる略長方形状をしている。
【００２９】
また、ダイヤカット模様１３４は、環状部１３１の周方向に規則性をもったプリズム形状を含む。プリズム形状の一例として、より具体的には、規則性を有する凹凸形状をしている。平面視におけるプリズム形状は、環状部１３１の周方向に並ぶ複数個の四角形１３４ｅ（図１０において右下がりのハッチングを施している部分である。）の内部が周方向に延伸する２つの辺の一方側に存在する頂１３４ｆを頂角とする５個の三角形１３４ｇ，１３４ｈ，１３４ｉ，１３４ｊ，１３４ｋに区分されており、周方向に隣接する三角形が周方向に沿って上り勾配と下り勾配とを交互に繰り返す形状をしている。
【００３０】
ダイヤカット模様１３４は、周方向に並ぶ四角形１３４ａ，１３４ｅが径方向に複数段（例えば２段である。）有している。
縦縞模様１３５はダイヤカット模様１３４の四角形１３４ａの周方向に延伸する辺と同じ寸法の四角形１３５ａを周方向に上り勾配と下り勾配とを繰り返す状態で有する。
取付カバー１２１は、光源部１１から出射された光のうち補助部１２７から入射した光を装飾部１２９内を導光させて設置面２側へ出射する導光機能も有する。この際環状部１３１のダイヤカット模様１３４により光拡散（乱反射）された光が設置面２と反対側へと出射される。これにより光源部１１の発光によりシーリングライト１の光学的な付加価値を高めることができる。
【００３１】
補助部１２７は段付き筒状をしている。補助部１２７は大径筒部分１３７と小径筒部分１３９と連結部分１４１とを有している。
補助部１２７は装置本体３に取り付けられるための被取付手段や主カバー１２３を装着するための装着手段を有している。
大径筒部分１３７は主カバー１２３の筒部１５１の凸部１７５と係合する凹部１４３を有している。凹部１４３は、筒部１５１の凸部１７５と対応し、大径筒部分１３７の内周面における周方向に間隔をおいた部位で装飾部１２９側へと凹入する。
【００３２】
連結部分１４１は大径筒部分１３７の凹部１４３間に対応する部位から大径筒部分１３７と間隔を置いて平行に立設する立設部分１４５を有している。なお、立設部分１４５と大径筒部分１３７との間隔は主カバー１２３の筒部１５１の厚みに相当し、筒部１５１の後端部が立設部分１４５と大径筒部分１３７との間で形成される溝に挿入される。ここでの装着手段は、大径筒部分１３７の凹部１４３と、大径筒部分１３７と立設部分１４５との間の溝とにより構成されている。
小径筒部分１３９は内周面の周方向に間隔をおいた部位から内方へと突出する凸部１４７を有している。なお、凸部１４７は装置本体の３のカバー装着部１５の係止具５５に係合する。小径筒部分１３９は凸部１４７の裏側に補強用の縦リブ１４８を有している。ここでの被取付手段は、小径筒部分１３９の凸部１４７により構成されている。
【００３３】
（２）主カバー
主カバー１２３について主に図１１〜図１４を用いて説明する。
主カバー１２３は、取付カバー１２１の大径筒部分１３７に内嵌する筒部１５１と、筒部１５１の前端から前方へと張り出すドーム部（部分球状部）１５３とを有している。
主カバー１２３は、当該主カバー１２３を光の出射方向に向かって見たときに、ドーム部１５３の中央部に第１光拡散領域１５５を、第１光拡散領域１５５の外側に第２光拡散領域１５７を、第２光拡散領域１５７の外側に第３光拡散領域１５９をそれぞれ有している。
【００３４】
光の出射方向から主カバー１２３を見ると、第１光拡散領域１５５は円形状をし、第２及び第３光拡散領域１５７，１５９は円環状をしている。つまり、光の出射方向から主カバー１２３を見ると、第２光拡散領域１５７は第１光拡散領域１５５の外側周辺部であって周方向に連続して設けられている。第３光拡散領域１５９は、第２光拡散領域１５７の外側周辺部であって周方向に連続して設けられている。
第１光拡散領域１５５と第３光拡散領域１５９は、同じ材料及び同じ光拡散処理が施されている。このため、第１光拡散領域１５５と第３光拡散領域１５９は同じ光拡散性と光透過性を有している。
【００３５】
具体的には、第１光拡散領域１５５及び第３光拡散領域１５９は透光性の樹脂材料（例えばポリプロピレン等の熱可塑性樹脂である。）により形成され、内面及び外面の少なくとも一方の面が光拡散加工面となっている。光拡散加工面は、例えばシボ加工面であり、シボ加工されている型材を利用して射出成形した際に形成される面である。なお、主面に直接光拡散加工（シボ加工）がされていなくても光拡散加工面という。
第１光拡散領域１５５及び第３光拡散領域１５９は透光性の上記樹脂材料に拡散剤（例えばシリコーン剤である。）が混入されている。これにより第１光拡散領域１５５及び第３光拡散領域１５９は乳白色に見える。
【００３６】
第２光拡散領域１５７は、第１及び第３光拡散領域１５５，１５９と異なる光特性を有する領域である。具体的には、第２光拡散領域１５７は、透光性を有し且つ透明な樹脂材料（例えばアクリル、ポリカーボネート等の熱可塑性樹脂である）。により構成され、第１及び第３光拡散領域１５５，１５９の光拡散加工面と異なる光拡散加工面を有している。なお、ここでの主面も直接光拡散加工がされていなくても、間接的に光拡散加工されているものも光拡散加工面とする。
第２光拡散領域１５７における主面の少なくとも一方の面（ここでは内面である。）がダイヤカット面となっている。つまり、第２光拡散領域１５７の内面はダイヤカット模様１５６を有している。これにより、第２光拡散領域１５７は、第１及び第３光拡散領域１５５，１５９よりも光透過性が高く、光拡散性が低くなる。
【００３７】
ダイヤカット模様１５６は、円環状の第２光拡散領域１５７の周方向に規則性をもったプリズム形状を含む。プリズム形状の一例として、より具体的には、規則性を有する凹凸形状をしている。平面視におけるプリズム形状は、第２光拡散領域１５７の周方向に並ぶ複数個の四角形１５６ａの内部が周方向に延伸する２つの辺の一方側に存在する頂１５６ｂ（図１４において右上がりのハッチングを施している部分である。）を頂角とする５個の三角形１５６ｃ，１５６ｄ，１５６ｅ，１５６ｆ，１５６ｇに区分されており、周方向に隣接する三角形が周方向に沿って上り勾配と下り勾配とを交互に繰り返す形状をしている。
三角形１５６ｃは周方向に延伸する一方の辺を底辺とする。三角形１５６ｄ，１５６ｅは四角形１５６ａの径方向に延伸する２つの辺を底辺とする。三角形１５６ｆ，１５６ｇは四角形１５６ａの周方向に延伸する他方の辺を底辺とする三角形を２分したものである。
【００３８】
三角形１５６ｅ，１５６ｄは周方向に隣接し、三角形１５６ｆ，１５６ｇは周方向に隣接する。換言すると、周方向に隣接する三角形は径方向に延伸する辺を共有する２つの三角形である。
ここでの四角形１５６ａは径方向が長辺となる略長方形状をしている。ダイヤカット模様１５６は、周方向に並ぶ四角形状が径方向に複数段有している。ここでの段数は２段であり、２段の間に位置し且つ周方向に延伸する仮想線に対して各段の模様が線対称となっている。
【００３９】
主カバー１２３は、ドーム部１５３の頂部側に開口１６１を有する外側主カバー体１６３と、外側主カバー体１６３の開口１６１の中央に配される内側主カバー体１６５と、外側主カバー体１６３と内側主カバー体１６５との間に介在する中間主カバー体１６７とを有する。主カバー１２３はさらに外側主カバー体１６３と中間主カバー体１６７と内側主カバー体１６５との連結を補助する補助カバー体１６９を有している。
外側主カバー体１６３は筒部１５１と截頭ドーム部１７３とを有する。筒部１５１は外周面における周方向に間隔をおいた部位に取付カバー１２１の大径筒部分１３７の凹部１４３に係合する凸部１７５を有している。
截頭ドーム部１７３は第３光拡散領域１５９を構成する。截頭ドーム部１７３の内周縁部１７７は厚肉部となっている。截頭ドーム部１７３は内周縁部１７７における周方向に間隔をおいた部位に切欠１７９を有している。
【００４０】
内側主カバー体１６５は第１光拡散領域１５５を構成する。内側主カバー体１６５の外周縁部１８１は厚肉部となっている。内側主カバー体１６５は外周縁部１８１における周方向に間隔をおいた部位に切欠１８３を有している。
中間主カバー体１６７は第２光拡散領域１５７を構成する。中間主カバー体１６７は、外周縁における周方向に間隔をおいた部位から後方へ延出する外側ピン１８７を有し、内周縁における周方向に間隔をおいた部位から後方へと延出する内側ピン１８９を有している。外側ピン１８７は外側主カバー体１６３の切欠１７９に嵌合する。内側ピン１８９は内側主カバー体１６５の切欠１８３に嵌合する。
補助カバー体１６９は環状（例えば円環状である。）をしている。補助カバー体１６９は中間主カバー体１６７と同様に透光性を有する透明な樹脂材料により構成されている。補助カバー体１６９の外周縁部１９０と内周縁部１９２は厚肉部となっている。補助カバー体１６９は外周縁部１９０における周方向に間隔を置いた部位に中間主カバー体１６７の外側ピン１８７用の外貫通孔１９１を有する。補助カバー体１６９は内周縁部１９２における周方向に間隔をおいた部位に中間主カバー体１６７の内側ピン１８９用の内貫通孔１９３を有する。
【００４１】
中間主カバー体１６７の外側ピン１８７は、表側から外側主カバー体１６３の切欠１７９と補助カバー体１６９の外貫通孔１９１を通過した後、その先端部が熱圧潰されている。中間主カバー体１６７の内側ピン１８９は、表側から内側主カバー体１６５の切欠１８３と補助カバー体１６９の内貫通孔１９３を通過した後、その先端部が熱圧潰されている。これにより、外側主カバー体１６３、中間主カバー体１６７、内側主カバー体１６５及び補助カバー体１６９が一体化され、主カバー１２３となる。
【００４２】
＜第２の実施形態＞
第１の実施形態の透光性カバー５は、表側からみたときに最外周に装飾部１２９を有する取付カバー１２１を有していたが、最外周の装飾部はなくてもよい。第２の実施形態では装飾部を有しない透光性カバーを備える照明装置（シーリングライト）について説明する。
【００４３】
以下、主に透光性カバーについて説明し、他の部分の詳細は第１の実施形態と同じであるため説明を省略する。
シーリングライト２０１は、図１５及び図１６に示すように、装置本体３と透光性カバー２０３とを有する。なお、上述した通り、装置本体３は第１の実施形態の装置本体３と同じ構成であり、各部の説明は第１の実施形態での各部と同じ符号を用いる。
装置本体３は、図１６に示すように、光源部１１、回路部１２、搭載部１３、取付部１４、カバー装着部１５（図４参照）、光源カバー部１７、回路収容部１８及び受信部１９を有する。透光性カバー２０３は図１６に示すように取付カバー２０５と主カバー１２３とを有する。主カバー１２３は第１の実施形態と同じであるため説明を省略する。
【００４４】
取付カバー２０５について主に図１７及び図１８を用いて説明する。
取付カバー２０５は、透光性樹脂材料に拡散剤が混入されたもので構成されてもよいし、透明の透光性樹脂により構成されてもよい。ここでは、主カバー１２３の内側主カバー体１６５と同じ透光性の樹脂材料（ポリプロピレン）に拡散剤が混入され、光拡散加工面を有する。
取付カバー２０５は、表側拡がりの段付き筒状をしている。取付カバー２０５は第１の実施形態の取付カバー１２１の補助部１２７と同じような構成をしている。
【００４５】
取付カバー２０５は大径筒部２１１と連結部２１３と小径筒部２１５とを有している。大径筒部２１１は、内周面における周方向に間隔をおいた部位で凹入して、主カバー１２３における筒部１５１の凸部１７５と係合する凹部２１７を有している。連結部２１３は大径筒部２１１の凹部２１７間に対応する部位から大径筒部２１１と平行に立設する立設部分２１９を有している。立設部分２１９と大径筒部２１１との間には主カバーの１２３の筒部１５１の後端部が挿入される。
小径筒部２１５は内周面の周方向に間隔をおいた部位から内方へと突出して、装置本体３のカバー装着部１５の係止具５５に係合する凸部２２１を有する。なお、小径筒部２１５は凸部２２１の裏側に補強用の縦リブ２２３を有している。
【００４６】
＜光拡散領域＞
１．第１光拡散領域及び第３光拡散領域
実施形態における透光性カバー５の第１及び第３光拡散領域１５５，１５９は、ＬＥＤ２１から出射された光を光拡散する機能を有し、指向性の強いＬＥＤ２１を光源として利用した場合のグレアを防止している。第１及び第３光拡散領域１５５，１５９における光拡散機能は、例えば、透光性樹脂材料に拡散剤を混入させたり、外側主カバー体１６３や内側主カバー体１６５の裏面と表面とをシボ加工面としたりすることで実施されている。しかしながら、第１及び第３光拡散領域１５５，１５９の光拡散加工としては、シボ加工以外に、例えばブラスト加工や光拡散膜形成加工等を利用することができる。
【００４７】
なお、実施形態における第１光拡散領域１５５と第３光拡散領域１５９とは同じ材料、同じ光拡散加工（光拡散処理）されていたが、それぞれ別の材料や光拡散処理を利用してもよい。ただし、第１光拡散領域及び第３光拡散領域は第２光拡散領域と異なる光拡散性を有する必要がある。具体的には、第３光拡散領域は、第２光拡散領域よりも低い光透過性を有し、第２光拡散領域よりも高い光拡散性を有する必要がある。これにより、第１光拡散領域や第３光拡散領域から出射される光の光度と、第２光拡散領域から出射される光の光度との差が大きくなり、第２光拡散領域のきらめき感を向上させることができる。
【００４８】
２．第２光拡散領域
（１）ダイヤカット模様
第２光拡散領域１５７は、透明の透光性樹脂材料により構成し、裏面にダイヤカット模様を有している。ダイヤカット模様はダイヤカット加工された金型を利用して射出成形することで得られる。しかしながら、第２光拡散領域は、例えば、ガラス材料を用いてダイヤカット加工によるダイヤカット模様を有するようにしてもよい。
ダイヤカット模様は、例えば、環状の第２光拡散領域の周方向が長辺となるような四角形を利用してもよいし、周方向と径方向との長さが略等しい正方形状を利用してもよい。また、四角形は、周方向に一直線状に設けられていたが、例えば四角形をひし形として周方向にジグザグ状に設けられてもよい。また、四角形の代わりにｎ角形状（「ｎ」は４以上の偶数である。）を利用することもできる。さらには、複数種類の多角形状を利用してもよい。例えば、８角形を密に配置して空いた部分に四角形を配置したような模様であってもよい。
【００４９】
１つの四角形の大きさは、投影面積が４０［ｍｍ２］以上５０［ｍｍ２］以下の範囲が好ましく、４４［ｍｍ２］以上４６［ｍｍ２］以下の範囲がより好ましい。この範囲にすることで第２光拡散領域から出射される光のきらめき感を向上させることができる。
さらに、ダイヤカット模様に略長方形状を利用する場合、短辺と長辺との比（短辺／長辺）は０．５以上０．８以下の範囲が好ましく、０．６以上０．７以下の範囲がより好ましい。これにより、第２光拡散領域から出射される光のきらめき感を向上させることができる。
また、ダイヤカット模様に頂１５６ｂを含む三角形状の凹凸面を利用する場合、凹凸（頂の高さ）は１．０［ｍｍ］以上２．０［ｍｍ］以下の範囲が好ましく、１．４［ｍｍ］以上１．６［ｍｍ］以下の範囲がより好ましい。これにより、第２光拡散領域から出射される光のきらめき感を向上させることができる。
径方向の四角形の段数は実施形態において２段であったが、１段でもよいし、３段以上の複数段であってもよい。複数段有する場合、各段で同じ模様であってもよいし、異なる模様であってもよい。段数はきらめき領域の広さや模様の大きさ（例えば四角形の大きさ）によって適宜決定される。
【００５０】
（２）第２光拡散領域の数と形状
実施形態の第２光拡散領域１５７は環状している。その本数は、１本であってもよいし、２本以上であってもよい。第２光拡散領域１５７の外周縁及び内周縁は円形状であったが、例えば四角形状等の多角形状であってもよい。また、第２光拡散領域の外周縁と内周縁とで形状が異なってもよい。このような例としては外周縁が円形状で内周縁が四角形のような場合である。さらに、第２光拡散領域は同一半径の円環状をしているが、仮想基準円の内外を行き来するジグザグ状の環状であってもよい。
実施形態では、透光性カバー５を光の出射方向に向かって見たときに、透光性カバー５の外周形状と第２光拡散領域１５７の環形状とが対応していたが、第２光拡散領域の形状は透光性カバーの外周形状と異なる形状であってもよい。なお、意匠性を考慮すると第２光拡散領域と透光性カバーの外周形状は対応する方が好ましい。
【００５１】
（３）第２光拡散領域の占有率
実施形態では、透光性カバー５を光の出射方向に向かって見たとき（設置面が天井の場合に床側から見たとき）に、中心側から第１光拡散領域１５５、第２光拡散領域１５７、第３光拡散領域１５９の順で３つの領域を有している。第１及び第３光拡散領域１５５，１５９は同じ光透過性及び光拡散性を有しているため、同じ光拡散領域とみなすことができる。この場合の第２光拡散領域１５７の全体領域に対する比率（合計の第２光拡散領域１５７の投影面積／（第１光拡散領域、第２光拡散領域及び第３光拡散領域の合計の投影面積）は、１５［％］以上２３［％］以下の範囲内にあるのが好ましい。より好ましくは、１７［％］以上２１［％］以下の範囲である。この範囲にあるとグレアを抑えつつきらめき感を得ることができる。
【００５２】
（４）幅
シーリングライト１を光の出射方向からみたときに、図１に示すように第２光拡散領域１５７の内径をＤ１、外径をＤ２とすると、第２光拡散領域１５７の幅は（Ｄ２−Ｄ１）／２となる。第２光拡散領域１５７の幅は、５６［ｍｍ］以上６８［ｍｍ］以下の範囲内に、好ましくは、６１［ｍｍ］以上６３［ｍｍ］以下の範囲内にあるのが好ましい。この範囲にあると、全体の光度と第２光拡散領域から出射される光の光度とのバランスが良くなる。
【００５３】
（５）断面における位置
ＬＥＤ２１と第２光拡散領域１５７（１６７）との位置関係を図１９を用いて説明する。
第２光拡散領域１５７の位置は、シーリングライト１の断面（設置面と直交する方向の断面である。）において、すべてのＬＥＤ２１の光軸（Ｘ１、Ｘ２）に対する１／２ビーム角（ＬＥＤ２１から出射される光の光度が最大光度の１／２となる光の出射方向と光軸との間の角度の２倍の角度）Ａの範囲内にある。これにより、高い光度の光が第２光拡散領域１５７に入射することとなり、第２光拡散領域１５７のきらめき感が向上する。また、光色の異なる複数種類のＬＥＤ２１を用いる場合、複数種類のＬＥＤ２１から出射された光が第２光拡散領域１５７に直接達することとなり、光色の異なるきらめき感を得ることができる。
【００５４】
本実施形態では、シーリングライト１，２０１を光出射方向に向かって見たときに第２光拡散領域１５７は環状に設けられ、装置本体３を光出射方向に向かって見たときに複数枚の実装基板２３が環状に配されている。第２光拡散領域１５７は、光の出射方向に向かって見たときに環状に配された実装基板２３に重なるように設けられている。これにより、第２光拡散領域１５７がＬＥＤ２１の光軸（Ｘ１、Ｘ２）に対する１／２ビーム角（本例では１２０°である。）Ａの範囲内に位置することが多くなる。
本実施形態では装置本体３を光の出射方向に向かって見たときに、第２光拡散領域１５７に最も近いＬＥＤ２１の光軸（Ｘ１）上に第２光拡散領域１５７が位置しているが、第２光拡散領域１５７は、最も近いＬＥＤ２１において、ＬＥＤ２１から出射される光の光度が最大光度の９０％となる光の出射方向と光軸（Ｘ１）との間の角度の２倍の角度Ｂ（本例では５０°である。）の範囲内に存在していればよい。これにより、ＬＥＤ２１から出射される光度の高い光が第２光拡散領域１５７に直接入射することとなり、きらめき感を向上させることができる。
【００５５】
３．第１〜第３光拡散領域
主カバー１２３は、外側主カバー体１６３、内側主カバー体１６５、中間主カバー体１６７を別体で有し、各カバー体に第１光拡散領域１５５、第２光拡散領域１５７、第３光拡散領域１５９が設けられている。
しかしながら、外側主カバー体、内側主カバー体、中間主カバー体を一体構造とし、第１〜第３光拡散領域を設けてもよい。例えば、主カバーを光透過性の高い材料で構成し、第１光拡散領域と第３光拡散領域の表裏面をシボ加工面とし、第２光拡散領域の表裏の少なくとも一方面をダイヤカット加工面とすることで実施できる。
【００５６】
＜変形例＞
以上、２つの実施形態に係る照明装置を説明したが、この実施形態に限られるものではなく、例えば、以下のような変形例であってもよい。また、実施形態と変形例、変形例同士を組み合わせたものでもよい。
また、実施形態や変形例に記載していない例や、要旨を逸脱しない範囲の設計変更があっても本発明に含まれる。
【００５７】
１．透光性カバー
実施形態における透光性カバー５は、取付カバー１２１と主カバー１２３とを別体で有して組み立てる構造をしていたが、取付カバーと主カバーとが最初から一体となった構造でもよい。この場合でも、主カバーが少なくとも第１光拡散領域と第２光拡散領域とを有することで、光学的な付加価値を向上させることができる。
第１の実施形態の取付カバー１２１並びに第１の実施形態及び第２実施形態の第２拡散領域１５７（中間主カバー体１６７）は、無色透明に構成されていたが、取付カバー及び第２拡散領域の少なくとも一方を有色透明に構成してもよい。
有色としては、薄い有色があり、例えば、薄い青色、薄い緑色、薄い赤色等がある。特に、薄い緑色の場合、光源部１１から出射される光色が昼光色系のときに光学的な付加価値を一層向上させることができる。
有色とする方法は、例えば、有色の透明性樹脂材料を塗布したり、有色の透明性樹脂材料で射出成形したり、有色の透光性フィルムを貼付けたり等がある。
【００５８】
２．照明装置
照明装置は、ＬＥＤを利用した光源部を有する装置本体と、透光性カバーとを有していればよい。従って、装置本体は、回路部１２を搭載部１３の裏側に備えてもよいし、回路部を搭載部の表側に備えてもよい。さらには、照明装置は、点灯回路を装置本体と別に有してもよい。同様に、装置本体は光源カバー部を備えなくてもよいし、光源カバー部は、複数部材で構成しても良いし、一部材で構成してもよい。
また、実施形態の照明装置はシーリングライト１であったが、例えば、ペンダントタイプの照明装置であってもよいし、壁に装着される照明装置であってもよいし、天井等の設置面に埋設される長尺状の照明装置であってもよい。この場合、使用目的に合わせて、第２光拡散領域の光拡散性、光透過性、位置等を適宜変更すればよい。
【符号の説明】
【００５９】
１    シーリングライト（照明装置）
３    装置本体
５    透光性カバー
１１    光源部
１２３    主カバー
１５５    第１光拡散領域
１６５    内側主カバー体
１５７    第２光拡散領域
１６７    中間主カバー体
１５９    第３光拡散領域
１６３    外側主カバー体
【図１】
0006584134.tif 000002
【図２】
0006584134.tif 000003
【図３】
0006584134.tif 000004
【図４】
0006584134.tif 000005
【図５】
0006584134.tif 000006
【図６】
0006584134.tif 000007
【図７】
0006584134.tif 000008
【図８】
0006584134.tif 000009
【図９】
0006584134.tif 000010
【図１０】
0006584134.tif 000011
【図１１】
0006584134.tif 000012
【図１２】
0006584134.tif 000013
【図１３】
0006584134.tif 000014
【図１４】
0006584134.tif 000015
【図１５】
0006584134.tif 000016
【図１６】
0006584134.tif 000017
【図１７】
0006584134.tif 000018
【図１８】
0006584134.tif 000019
【図１９】
0006584134.tif 000020